(57)【要約】【課題】飲料容器収納部の視認性を向上させた自動車用カップホルダを提供する。【解決手段】上面に飲料容器４を収納するための開口部２ｂを有する飲料容器収納部２ａと、飲料容器収納部を照明する発光手段５とから構成された自動車用カップホルダの発光手段を、飲料容器収納部の開口部を囲むように設けられ、かつ飲料容器収納部内側に発光面８ｄを有する透光性材料よりなる発光部材８と、発光部材の発光面と非対向位置に設けられ、かつ発光面に沿って配設された導光ファイバ７と、発光部材及び導光ファイバの上を覆う環状カバー６と、導光ファイバの端末７ａに対向するよう配置された光源９とにより形成したもので、導光ファイバにより飲料用容器収納部の開口部２ｂの周囲が環状に光ることから、飲料容器収納部の視認性が向上する。【選択図】図５
2007203800.tif 000002
【特許請求の範囲】
【請求項１】
上面に飲料容器を収納するための開口部を有する飲料容器収納部と、前記飲料容器収納部を照明する発光手段とから構成された自動車用カップホルダであって、前記発光手段が、
前記飲料容器収納部の前記開口部を囲むように設けられ、かつ前記飲料容器収納部内側に発光面を有する透光性材料よりなる発光部材と、前記発光部材の前記発光面と非対向位置に設けられ、かつ前記発光面に沿って配設された導光ファイバと、前記発光部材及び前記導光ファイバの上を覆う環状カバーと、前記導光ファイバの端末に対向するよう配置された光源とによりを構成されていることを特徴とする自動車用カップホルダ。
【請求項２】
前記発光部材の上面に、前記導光ファイバを所定形状に保持するリブを突設してなる請求項１に記載の自動車用カップホルダ。
【請求項３】
前記発光部材の前記発光面と対向する面に、前記導光ファイバからの光を前記発光面側へ反射する反射面を形成してなる請求項１または２に記載の自動車用カップホルダ。
【請求項４】
前記導光ファイバの端末を１個所に纏めて配列し、かつ前記端末に対向するように前記光源を配置してなる請求項１ないし３の何れかに記載の自動車用カップホルダ。
【請求項５】
前記導光ファイバの端末を滑らかな曲線によりによりほぼＹ字形に配列し、かつ各端末に対向するよう前記光源を配置してなる請求項１ないし４の何れかに記載の自動車用カップホルダ。
【請求項６】
前記導光ファイバの端末をほぼＸ字形に交差させ、かつ各端末に対向するよう前記光源を配置してなる求項１ないし４の何れかに記載の自動車用カップホルダ。
【発明の詳細な説明】
【技術分野】
【０００１】
本発明は、飲料容器収納部の視認性を向上させた自動車用カップホルダに関する。
【背景技術】
【０００２】
従来自動車の車室内には、種々の内装材が装備されているが、これら内装材の一部に、缶やペットボトル等の飲料容器を収納するカップホルダがある。
【０００３】
カップホルダは、飲料容器を収納するための飲料容器収納部が１個ないし複数個設けられていて、通常インストルメントパネルの前面や、コンソール等に設置されており、飲料容器収納部に収納した飲料容器が自動車が走行している際の振動や、自動車が発進、停止しても簡単に転倒することがない構造となっている。
【０００４】
しかし夜間やトンネル内等のように、車室内が暗かったり、車内灯のみでは十分な明るさが得られない状態で飲料容器を飲料容器収納部へ入れようとした場合、誤って飲料容器を転倒させることがあり、その結果内容物である飲料が飲料容器よりこぼれて周辺を汚損することがある。
【０００５】
かかる問題を改善するため、飲料容器収納部に発光手段を設けて、夜間でも容器収納部の位置が容易に視認できるようにしたカップホルダが例えば特許文献１，２，３等で提案されている。
【０００６】
前記特許文献１に記載のカップホルダは、飲料容器収納部全体を透光性を有する樹脂により成形し、かつ飲料容器収納部の一部に光源を設けて、この光源により飲料容器収納部全体を照明するようにしたもので、夜間であっても飲料容器収納部の位置が容易に確認できるようになっている。
【０００７】
また特許文献２に記載のカップホルダは、飲料容器収納部の近傍に光透過性材料からなる導光性部材を設けて、導光性部材を引き出した際、導光性部材に設けた受光部が光源に臨むようにしたもので、光源からの光が導光部材を介して飲料容器収納部に伝達されるので、夜間でも飲料容器収納部の位置が容易に確認できるようになっている。
【０００８】
一方、特許文献３に記載のカップホルダは、飲料容器収納部の内壁部をエレクトロルミネッセンス（ＥＬ）で発光させることにより、夜間でも飲料容器収納部の位置が容易に確認できるようになっている。
【特許文献１】特開２００２−１２０６３０号公報
【特許文献２】特開２００２−３０７９９４号公報
【特許文献３】特開２００５−１４６５５号公報
【発明の開示】
【発明が解決しようとする課題】
【０００９】
しかし前記特許文献１に記載のカップホルダでは、飲料容器収納部の底部側を集中的に照明する構造のため、飲料容器収納部の上面開口部まで光が届き難いことがあり、飲料容器収納部の視認性に欠ける問題がある。
【００１０】
またペットボトルのような透明な飲料容器を飲料容器収納部に収納した場合、飲料容器を底部から照明する光が飲料容器内の飲料の揺れに伴い車室内へ散乱されるため、車室内が暗い場合、散乱した光により車室内が不安定な過剰照明となる問題がある。
【００１１】
一方、特許文献２に記載のカップホルダでは、光透過性樹脂により成形された導光性部材は、内部での光減衰が大きいため照明効果が乏しいと共、照明効果を上げるために光源の出力を大きくすると、光源が大型化したり消費電力が増加する上、光が周囲へ漏れるのを防止する対策が必要となるため、コスト高となる問題がある。
【００１２】
また特許文献３に記載のカップホルダでは、使用するＥＬが一般に高価な上、ＥＬを駆動するための駆動手段が必要なため、照明手段が複雑かつ高価になると共に、照明手段の小型化に限度があるため、カップホルダ全体が大型化する等の問題がある。
【００１３】
本発明はかかる問題を改善するためになされたもので、飲料容器収納部の視認性を向上させた自動車用カップホルダを提供することを目的とするものである。
【課題を解決するための手段】
【００１４】
本発明の自動車用カップホルダは、上面に飲料容器を収納するための開口部を有する飲料容器収納部と、前記飲料容器収納部を照明する発光手段とから構成された自動車用カップホルダであって、前記発光手段が、前記飲料容器収納部の前記開口部を囲むように設けられ、かつ前記飲料容器収納部内側に発光面を有する透光性材料よりなる発光部材と、前記発光部材の前記発光面と非対向位置に設けられ、かつ前記発光面に沿って配設された導光ファイバと、前記発光部材及び前記導光ファイバの上を覆う環状カバーと、前記導光ファイバの端末に対向するよう配置された光源とによりを構成されていることを特徴とするものである。
【００１５】
前記構成により、飲料用容器収納部の開口部の周囲が環状に光ることから、車室内が暗い場合でも飲料用容器収納部の位置が容易に視認できるようになり、これによって飲料用容器収納部より飲料用容器を取り出したり、飲料用容器収納部に飲料用容器を収納する等の作業が何等支障なく行えると共に、誤って飲料用容器内の飲料をこぼす等の心配もないため、周囲を汚損することもない。
【００１６】
また導光ファイバを使用したことにより、開口部の周辺を集中的かつ均一に照明することができる上、任意な形状の開口部に合せて簡単に配置することできるため、発光手段の組み立て性が向上すると共に、発光手段をコンパクトに構成することができるため、カップホルダの小型化が容易に行える。
【００１７】
本発明の自動車用カップホルダは、発光部材の上面に、導光ファイバを所定形状に保持するリブを突設したものである。
【００１８】
前記構成により、発光面に対し導光ファイバを正確に位置決めできるため、導光ファイバより発せられた光を無駄なく発光面より発光させることができると共に、導光ファイバの外側にもリブを設けて、このリブに白色塗料等で予め反射面を形成しておけば、リブからの光の散逸を防止することができる。
【００１９】
本発明の自動車用カップホルダは、発光部材の発光面と対向する面に、導光ファイバからの光を発光面側へ反射する反射面を形成したものである。
【００２０】
前記構成により、導光ファイバより発せられたを効率よく、かつ均一に発光面より飲料用容器収納部内へと照射することができる上、反射面が外部へ漏れる光を遮光するため、導光ファイバより発せられた光を効率よく飲料用容器収納部の照明に利用することができる。
【００２１】
本発明の自動車用カップホルダは、導光ファイバの端末を１個所に纏めて配列し、かつ各端末に対向するように光源を配置したものである。
【００２２】
前記構成により、単一の光源により導光ファイバの全体をほぼ均一に発光させることができるため、経済的である。
【００２３】
本発明の自動車用カップホルダは、導光ファイバの端末を滑らかな曲線によりによりほぼＹ字形に配列し、かつ各端末に対向するよう光源を配置したものである。
【００２４】
前記構成により、端末側での発光を抑制できるため、光が無駄に発散されることがない上、光源より離れた最遠部との発光量差を低減できるため、導光ファイバの全体を間断なくほぼ均一に発光させることができる。
【００２５】
本発明の自動車用カップホルダは、導光ファイバの端末をほぼＸ字形に交差させ、かつ各端末に対向するよう光源を配置したものである。
【００２６】
前記構成により、導光ファイバによる光の輪が端末側で切れることがないため、装飾効果が向上する上、緩やかな曲線で光源に達するため、光伝達ロスを最小限に抑制すると共に、導光ファイバの全体を間断なくほぼ均一に発光させることができる。
【発明の効果】
【００２７】
本発明の自動車用カップホルダによれば、飲料用容器収納部の開口部の周囲が環状に光ることから、車室内が暗い場合でも飲料用容器収納部の位置が容易に視認できるようになり、これによって飲料用容器収納部より飲料用容器を取り出したり、飲料用容器収納部に飲料用容器を収納する等の作業が何等支障なく行えると共に、誤って飲料用容器内の飲料をこぼす等の心配もないため、周囲を汚損することもなく、また導光ファイバを使用したことにより、開口部の周辺を集中的かつ均一に照明することができる上、任意な形状の開口部に合せて簡単に配置することできるため、発光手段の組み立て性が向上すると共に、発光手段をコンパクトに構成することができるため、カップホルダの小型化が容易に行える。
【発明を実施するための最良の形態】
【００２８】
本発明の実施の形態を、図面を参照して詳述する。
【００２９】
図１は車室内に設置されたコンソールの斜視図、図２はコンソールに設けられたカップホルダ及び照明手段の分解斜視図、図３は発光手段の分解斜視図、図４は同組み立て状態の斜視図、図５は図４のＡ−Ａ線に沿う拡大断面図、図６は光源付近の拡大図、図７は導光ファイバ発光時の作用説明図である。
【００３０】
図１に示すコンソール１は、車室内の例えば運転席と助手席（何れも図示せず）の間に設置されていて、このコンソール１の前部側にカップホルダ本体２が、また後部側に小物収納部３が設けられており、小物収納部３の上面開口部には、肘掛けを兼ねた蓋体３ａが開閉自在に取り付けられている。
【００３１】
コンソール１の前部側に設けられたカップホルダ本体２は、図２に示すように例えば前後に離間する一対の飲料容器収納部２ａを有している。
【００３２】
飲料容器収納部２ａは、上面が開口した有底筒状となっていて、開口部２ｂ間が板状の連結部２ｃにより互いに連結されており、全体が樹脂により一体成形されている。
【００３３】
連結部２ｃには複数の取り付け孔２ｄが形成されていて、コンソール１の底面側開口部よりカップホルダ本体２をコンソール１内に収容した状態で、取り付け孔２ｄに挿入したビス等の固着具（図示せず）をコンソール１の内側に螺挿することにより、コンソール１に対しカップホルダ本体２が固着されている。
【００３４】
コンソール１の前側上面には、カップホルダ本体２の飲料容器収納部２ａの開口部２ｂと合致する位置に、開口部２ｂよりやや大きい収納孔１ａが開口されていて、これら収納孔１ａより各飲料収納部２ａに飲料を収容した缶やペットボトル等の飲料容器４が収納できるようになっており、コンソール１の各収納孔１ａには、発光手段５を覆う環状カバー６が図５に示すように嵌合されている。
【００３５】
発光手段５は図３に示すように、光ファイバよりなる導光ファイバ７と、透光性を有する発光部材８と、光源９及び導光ファイバ７と光源９を接続する接続部材１０とからなる。
【００３６】
光ファイバからなる導光ファイバ７は、飲料容器収納部２ａの開口部２ｂを一周し、かつ両端末７ａを互いに平行にした状態で光源９に接続できる長さとなっており、端末７ａの端面から照射された光により外周面全体がほぼ均一に発光するようになっている。
【００３７】
発光部材８は、導光ファイバ７を飲料容器収納部２ａの開口部２ｂとほぼ同一形状に保持すると同時に、導光ファイバ７の外周面から発光する光を効率よく照明に使用できるようにするもので、全体が透明度の高いアクリル樹脂等により環状に成形されている。
【００３８】
発光部材８の断面形状は、図５に示すようにほぼ逆台形となっていて、上面に内周リブ８ａと外周リブ８ｂが同心的に突設されており、これら内外周リブ８ａ，８ｂの間に形成されたほぼＵ字形の環状溝８ｃ内に、断面形状がほぼ正方形に形成された導光ファイバ７が上方より圧入されている。
【００３９】
発光部材８の内周面は、上面側より下面側へ順次径が拡大するテーパ状の発光面８ｄとなっていて、この発光面８ｄより導光ファイバ７からの光が飲料容器収納部２の開口部２ａ内に照射されるようになっており、発光部材８のほぼ垂直な外周面は、例えば白色塗料を塗布することにより形成された反射面８ｅとなっている。
【００４０】
発光部材８の底面には、円周方向に間隔を存して複数個所、例えば３個所に突条８ｆが突設されていて、飲料容器収納部２ａの開口部２ｂ周辺に突設された筒状部２ｇに発光部材８の外周面を当接させた状態で、筒状部２ｇの内側に形成された環状の嵌合溝２ｆ内に突条８ｆを上方より圧入することにより、開口部２ｂに発光手段５が取り付けられている。
【００４１】
発光手段５の接続部材１０は、発光部材８の外周部に突設された導光部８ｇに嵌合されている。
【００４２】
導光部８ｇの先端側は斜め下方に屈曲されていて、導光部８ｇの上面に導光ファイバ７の端末７ａを嵌合する凹溝８ｈがほぼＹ字形に形成されている。
【００４３】
接続部材１０は図６に示すように、発光部材８より突設された導光部８ｇの先端に嵌合自在な嵌合部１０ａを一端側に有していて、導光部８ｇの凹溝８ｈに嵌合された導光ファイバ７の端末７ａを、凹溝８ｈから抜け出さないよう圧着しており、端末７ａの端面は、接続部材１０の他端側より嵌装された光源９の発光部９ａと対向するようになっている。
【００４４】
光源９は例えば発光ダイオード（ＬＥＤ）より形成されていて、接続部材１０に接続自在なソケット９ｂより接続部材１０内に発光部９ａが突設されており、接続部材１０の両側に設けられた係止爪１０ｂをソケット９ｂの係止溝９ｃに係止することにより、接続部材１０よりソケット９ｂが抜け外れないようになっている。
【００４５】
光源９のソケット９ｂからは、ハーネス９ｄが延設されていて、このハーネス９ｄを介して光源９が自動車の電気系統（図示せず）に接続されており、夜間等において照明を点灯すると、光源９が発光するようになっている。
【００４６】
一方、発光手段５を上方から覆う環状カバー６は、図５に示すようにほぼ垂直な外周壁６ａと、外周壁６ａの上端より飲料容器収納部２ａ内へ突設されたカバー部６ｂとからなり、樹脂により一体成形されている。
【００４７】
発光手段５を覆うカバー部６ｂは、内周縁６ｃ側が順次低くなるように傾斜されていて、内周縁６ｃの先端を発光部材８の上面に当接させることにより、発光部材８の底面に突設した突条８ｆが飲料容器収納部２ａの開口部２ｂ周縁に形成された嵌合溝２ｆより抜け出さないように係止している。
【００４８】
外周壁６ａの外周面には、複数、例えば３個の固定片６ｄが円周方向に間隔を存して突設されていて、コンソール１の上面と連結部２ｃとの間でこれら固定片６ｄを挟着することにより、カップホルダ本体２に対し環状カバー６が固定されている。
【００４９】
次に前記構成された自動車用カップホルダの作用を説明する。
【００５０】
まず別々に製作したカップホルダ本体２と環状カバー６及び発光手段５を組み付けて、カップホルダ組立体を構成する。
【００５１】
すなわち発光部材８の環状溝８ｃ内に導光ファイバ７を嵌合し、導光ファイバ７の端末７ａを導光部８ｇの凹溝８ｈに嵌合したら、予め光源９を取り付けた接続部材１０の嵌合部１０ａを導光部８ｇに嵌合する。
【００５２】
次に導光部材８の突条８ｆをカップホルダ本体２の開口部２ｂ周縁に形成された嵌合溝２ｆに嵌合した状態で、環状カバー６により発光手段５を上方から覆うことにより、カップホルダ組み立て体を組み立てる。
【００５３】
次に組み上がったカップホルダ組み立て体をコンソール１の底面側から挿入して、環状カバー６がコンソール１の容器収納孔１ａに下方から嵌合したら、連結部２ｃの取り付け孔に挿入した固着具をコンソール１の内側に螺挿して、コンソール１に対しカップホルダ組み立て体を取り付けるもので、この状態では、環状カバー６の固定片６ｄがコンソール１の上面と、カップホルダ本体２の連結部２ｃとの間で図５に示すように挟着固定されるため、がたつくことがない。
【００５４】
以上のようにしてカップホルダ組み立て体を組み込んだコンソール１は、車室内の床面上等に固定して使用するが、夜間やトンネル内等において照明を点灯すると、発光手段５の光源９が点灯される。
【００５５】
そして光源９の発光部９ａより発せられた光は、導光ファイバ７の端末７ａ端面から導光ファイバ７内へと導入され、これによって導光ファイバ７の外周面全体が淡い光で発光する。
【００５６】
導光ファイバ７の外周面より発せられた光は、図７に示すように発光部材８内に導入された後、発光部材８の発光面８ｄから飲料用容器収納部内へ照射され、一部は発光部材８の外周面に形成された反射面８ｅに反射された後、発光面８ｄから飲料用容器収納部２ａ内へ照射される。
【００５７】
これによって飲料用容器収納部２ａの開口部２ｂの周囲が環状に光ることから、車室内が暗い場合でも飲料用容器収納部２ａの位置が容易に視認できるようになり、これによって飲料用容器収納部２ａより飲料用容器４を取り出したり、飲料用容器収納部２ａに飲料用容器４を収納する等の作業が何等支障なく行えると共に、誤って飲料用容器４内の飲料をこぼす等の心配もない。
【００５８】
また発光部材８の発光面８ｄと対向する面を反射面８ｅとしたことにより、導光ファイバ７より発せられて効率よく、かつ均一に発光面８ｄより飲料用容器収納部２ａ内へと照射することができる上、反射面８ｅが外部へ漏れる光を遮光するため、導光ファイバ７より発せられた光を効率よく飲料用容器収納部２ａの照明に利用することができるようになる。
【００５９】
一方発光部材８の上面に突設されたリブ８ａ，８ｂは、導光ファイバ７を所定位置に位置決めすると同時に、導光ファイバ７より発せられた光を効率よく発光部材８内に取り込む機能を有しているが、導光ファイバ７の外側に位置するリブ８ｂに白色塗料等で予め反射面８ｈを形成しておけば、リブ８ｂからの光の散逸を防止することができると共に、図８の（ａ）に示すように導光ファイバ７の内側にのみリブ８ａを設けて、導光ファイバ７の位置決めをしてもよく、図８の（ｂ）に示すように、導光ファイバ７の中心より低くならない範囲で内側のリブ８ａの高さを低くしてもよく、光源９から最遠部の導光ファイバ７部分は、光の減衰により照度低下するため、この部分のみリブ８ａ，８ｂを２重にして、照度の低下を補うようにしてもよい。
【００６０】
なお前記実施の形態では、飲料用容器収納部２ａを円形に形成したが、飲料用容器４の形状に合せて例えば図９に示すように角形や、その他の形状にしてもよく、飲料用容器収納部２ａの開口部２ｂの形状を変えた場合、当然開口部２ｂの形状に合せて発光手段５の形状も変えることになる。
【００６１】
また飲料用容器収納部の構造は、飲料用容器４の胴部と底部を支える構造の物にしてもよく、インストルメントパネル等から引き出す構造としてもよいと共に、光源９には、任意な色を発光するＬＥＤが使用可能であり、飲料容器収納部２ａが複数ある場合、各飲料容器収納部２ａごとに光源９の色を変えることにより、装飾効果が増大する。
【００６２】
一方図１０及び図１１は、導光ファイバ７の端末処理の変形例を示すもので、次にこれら変形例を簡単に説明する。
【００６３】
図１０の（ａ）は、導光ファイバ７の一方の端末７ａのみをほぼく字形に屈折して他方の端末７ａに沿わせるようにし、各端末７ａの端面に光源９を対向配置しており、図１０の（ｂ）は、導光ファイバ７の端末７ａをＸ字形に交差させて、各端末７ａの端面にそれぞれ光源９を対向配置している。
【００６４】
図１０の（ｃ）は、導光ファイバ７の端末７ａをＸ字形に交差させた上、さらに円弧状にループさせて各端末を揃え各端末７ａの端面に光源９を対向配置している。
【００６５】
図１１の（ａ）は、導光ファイバ７の一方の端末７ａのみを図１０の（ａ）の場合と逆の方向にほぼく字形に屈折して他方の端末７ａに沿わせるようにし、端末７ａの端面に光源９を対向配置しており、図１１の（ｂ）は、一本の導光ファイバ７を２個所飲料容器収納部２ａに８の字形に迂回させた上、端末７ａを揃えて各端末７ａの端面に光源９を対向配置している。
【００６６】
図１１の（ｃ）は、２個所飲料容器収納部２ａにそれぞれ設けた一対の導光ファイバ７の端末７ａを揃えて、４本の端末７ａの端面に光源９を対向配置している。
【００６７】
何れの変形例の場合も、前記実施の形態と同様な作用を発揮する上に、導光ファイバ７の全体を間断なくほぼ均一に発光させることができる。
【産業上の利用可能性】
【００６８】
本発明のカップホルダは、飲料用容器収納部の開口部の周囲が環状に光ることから、車室内が暗い場合でも飲料用容器収納部の位置が容易に視認できるようになり、これによって飲料用容器収納部より飲料用容器を取り出したり、飲料用容器収納部に飲料用容器を収納する等の作業が何等支障なく行えると共に、誤って飲料用容器内の飲料をこぼす等の心配もないため、周囲を汚損することもなく、また導光ファイバを使用したことにより、開口部の周辺を集中的かつ均一に照明することができる上、任意な形状の開口部に合せて簡単に配置することできるため、発光手段の組み立て性が向上すると共に、発光手段をコンパクトに構成することができるため、カップホルダの小型化が容易に行えることから、飲料容器収納部の視認性を向上させた自動車用カップホルダ当に最適である。
【図面の簡単な説明】
【００６９】
【図１】本発明の実施の形態になる自動車用カップホルダが設けられたコンソールの斜視図である。
【図２】本発明の実施の形態になる自動車用カップホルダの分解斜視図である。
【図３】本発明の実施の形態になる自動車用カップホルダに設けられた発光手段の分解斜視図である。
【図４】本発明の実施の形態になる自動車用カップホルダに設けられた発光手段の組み立て状態の斜視図である。
【図５】図４のＡ−Ａ線に沿う断面図である。
【図６】本発明の実施の形態になる自動車用カップホルダに設けられた発光手段の光源付近の拡大図である。
【図７】本発明の実施の形態になる自動車用カップホルダに設けられた発光手段の作用説明図である。
【図８】本発明の実施の形態になる自動車用カップホルダに設けられた発光手段を形成する発光部材の変形例を示す説明図である。
【図９】本発明の実施の形態になる自動車用カップホルダの変形例を示す説明図である。
【図１０】本発明の実施の形態になる自動車用カップホルダに設けられた発光手段を形成する導光ファイバの変形例を示す説明図である。
【図１１】本発明の実施の形態になる自動車用カップホルダに設けられた発光手段を形成する導光ファイバの変形例を示す説明図である。
【符号の説明】
【００７０】
２      カップホルダ本体
２ａ    飲料容器収納部
２ｃ    開口部
４      飲料容器
６      環状カバー
７      導光ファイバ
７ａ    端末
８      発光部材
８ａ    リブ
８ｂ    リブ
８ｄ    発光面
８ｅ    反射面
９      光源
【図１】
2007203800.tif 000003
【図２】
2007203800.tif 000004
【図３】
2007203800.tif 000005
【図４】
2007203800.tif 000006
【図５】
2007203800.tif 000007
【図６】
2007203800.tif 000008
【図７】
2007203800.tif 000009
【図８】
2007203800.tif 000010
【図９】
2007203800.tif 000011
【図１０】
2007203800.tif 000012
【図１１】
2007203800.tif 000013